(57)【要約】【課題】身体への負担を軽減できる履物を提供する。【解決手段】履物１はスリッパであり、足裏を支持すると共に前後方向に略対称である底部２と、底部２に取付けられて底部２との間に足が挿入される開口部４を形成するアッパー部３とを備え、アッパー部３は、底部２の両端部に取付けられるつま先部３Ａと底部２の略中央領域に取付けられる甲部３Ｂとで構成され、つま先部３Ａは復元可能な伸縮部材で構成される。開口部４の大きさは、底部２の前後方向に略対称である。【選択図】図１
2009273574.tif 000002
【特許請求の範囲】
【請求項１】
足裏を支持すると共に前後方向に略対称である底部と、
該底部に取付けられて該底部との間に足が挿入される開口部を形成するアッパー部とを備え、
前記開口部の大きさは、前記底部の前後方向に略対称である
履物。
【請求項２】
前記アッパー部は、両端が回転可能に前記底部に取付けられる少なくとも２つのベルト部材からなり、
該ベルト部材の両端は、前記底部の両側面に形成された凹部内に取付けられる
請求項１に記載の履物。
【請求項３】
前記アッパー部に、復元可能な伸縮部材が取付けられる
請求項１に記載の履物。
【請求項４】
前記アッパー部は、前記底部の両端部に取付けられるつま先部と前記底部の略中央領域に取付けられる甲部とで構成され、
前記つま先部は復元可能な伸縮部材で構成される
請求項１に記載の履物。
【発明の詳細な説明】
【技術分野】
【０００１】
本発明は履物に関する。詳しくは、両方向から履くことができる履物に係るものである。
【背景技術】
【０００２】
スリッパやサンダル等の履物は、足の甲を覆うアッパー部と足裏を支持する底部とを備え、アッパー部と底部との間に形成される開口部に足を挿入して使用される。
また、このような構成であると共に底部の表面には何ら滑り止め手段が設けられていないので、靴とは異なり簡単に脱いだり履いたりできるが、歩行中に履物が足からずれ落ちそうになり、常に足元に不快感と不安感を伴う。しかも、足の運び方にも不自然さが目立って見苦しく、安全な歩行姿勢が保てない。
また、安全な歩行姿勢が保てないと、つまずきの原因になり、特に段差を乗り越える時や階段の昇降の時には、足がスリッパから滑りやすく、階段から落ちて怪我をする可能性もある。
【０００３】
そこで、特許文献１には、図６に示すような履物が記載されている。即ち、特許文献１には、甲被１０２と底部材１０３で構成され、甲被１０２内部で構成される足の挿入口１０４が形成されるスリッパＳが記載されている。また、底部材１０３の表面全体には、滑止シート１０１が設けられ、この滑止シート１０１によって、底部材１０３の表面は優れた滑り止め作用を有し、挿入口１０４から足が抜け出やすいといった不都合が生じにくくなる。
【０００４】
【特許文献１】特開２００３−２１９９０１号公報
【発明の開示】
【発明が解決しようとする課題】
【０００５】
ところで、人の足は左右対称であるが、足の形は前後左右非対称である。通常、履物は人の足の形に合わせて型が作られているので、右足は右足専用の履物でなければ履くことは困難であり、左足は左足専用の履物でなければ履くことは困難であり、また、後ろから履けるが前からは履くことができない。
【０００６】
このような理由から、履物を履く時は前後を揃える必要があるが、前後を揃えるために腰を落したり、前かがみになったりすることは身体特に足腰に負担がかかる。特に身体に障害を持つ人、腰痛や神経痛を持つ人、手足が不自由な人にとっては大きな負担である。
【０００７】
本発明は、以上の点に鑑みて創案されたものであり、身体への負担を軽減できる履物を提供することを目的とする。
【課題を解決するための手段】
【０００８】
上記の目的を達成するために、本発明の履物は、足裏を支持すると共に前後方向に略対称である底部と、該底部に取付けられて該底部との間に足が挿入される開口部を形成するアッパー部とを備え、前記開口部の大きさは、前記底部の前後方向に略対称である。
【０００９】
ここで、開口部の大きさは底部の前後方向に略対称であるため、前後両方向から足を開口部内に挿入して履物を履いたり、また、脱いだりすることができる。
【００１０】
また、本発明の履物において、アッパー部は、両端が回転可能に底部に取付けられる少なくとも２つのベルト部材からなり、ベルト部材の両端は、底部の両側面に形成された凹部内に取付けられる場合、足を開口部内に挿入した時に、ベルト部材がそれぞれ回転して挿入方向に傾き、しかもベルト部材の両端は凹部内に取付けられるので、凹部によって形成された段差部にベルト部材が当たって回転による傾きを抑止し、ベルト部材が傾きすぎず、足の甲にフィットし易くなる。
【００１１】
また、本発明の履物において、アッパー部に、復元可能な伸縮部材が取付けられてもよい。
また、本発明の履物において、アッパー部は、底部の両端部に取付けられるつま先部と底部の略中央領域に取付けられる甲部とで構成され、つま先部は復元可能な伸縮部材で構成されてもよい。
【発明の効果】
【００１２】
本発明に係る履物は、身体への負担を軽減できる。
【発明を実施するための最良の形態】
【００１３】
以下、本発明の実施の形態について図面を参照しながら説明し、本発明の理解に供する。
図１は、本発明を適用した履物の第１の実施態様を説明する概略図である。図１において、本発明の履物１はスリッパであり、足裏を支持すると共に前後方向に略対称である底部２と、底部２に取付けられて底部２との間に足が挿入される開口部４を形成するアッパー部３とを備え、アッパー部３は、底部２の両端部に取付けられるつま先部３Ａと底部２の略中央領域に取付けられる甲部３Ｂとで構成され、つま先部３Ａは復元可能な伸縮部材で構成される。
また、開口部４の大きさは、底部２の前後方向に略対称である。また、アッパー部３は底部２と一体化している。
また、本発明の履物１は、左右の足の形に合わせてつま先部分が広く踵部分が狭いという前後方向に非対称な形状ではなく、前後方向に略対称なので左右どちらの足でも履くことができる。
【００１４】
また、底部２の材質としては、ＥＶＡ（エチレン‐酢酸ビニル共重合樹脂）の発泡体が用いられるが、その他にも例えば、塩化ビニル樹脂、ポリウレタン樹脂等の軟質または半硬質合成樹脂、更には繊維質材料、天然皮革、半硬質ゴム材等の、軽量でクッション性のある様々な材質を使用できる。
また、アッパー部３の材質としては、ＥＶＡの発泡体が用いられるが、繊維質材料、天然皮革、軟質ゴム材等の、形状復元性及び伸縮性を有し、軽量な素材であれば様々な材質を使用できる。
【００１５】
図２は、本発明を適用した履物の第２の実施態様を説明する概略図である。図２に示す本発明の履物１は、アッパー部３が甲部だけで構成されて、つま先部が取付けられていない点と、足の甲領域を覆うアッパー部３の下縁に沿って復元可能なゴム引布（伸縮部材の一例である。）５が取付けられている点以外は、図１に示す履物と同じである。
【００１６】
図３は、本発明を適用した履物の第３の実施態様を説明する概略図である。図３において、本発明の履物１はスリッパであり、足裏を支持すると共に前後方向に略対称である底部２と、底部２に取付けられて底部２との間に足が挿入される開口部４を形成するアッパー部３とを備え、アッパー部３は、前後のつま先から底部２の略中央領域に向かって取付けられている。また、開口部４の大きさは、底部２の前後方向に略対称である。
また、アッパー部３は、復元可能な伸縮部材で構成される。また、図１や図３に示す履物１は、つま先がアッパー部３によって覆われるので、冬季においては、つま先の保温効果があり、また、つま先部３Ａの先端をカットして足のつま先を露出させる構成にすれば、夏季において、つま先が蒸れにくく快適である。
【００１７】
図４は、本発明を適用した履物の第４の実施態様を説明する概略図である。図４に示す本発明の履物１は、足の甲領域を覆うアッパー部３の下縁のみならず上縁にも沿って即ちアッパー部３の全縁に沿って復元可能なゴム引布５が取付けられている点以外は、図２に示す履物と同じである。
【００１８】
図５は、本発明を適用した履物の第５の実施態様を説明する概略図である。図５において、本発明の履物１は下駄であり、足裏を支持すると共に前後方向に略対称である底部２と、底部２に取付けられて底部２との間に足が挿入される開口部４を形成するアッパー部３とを備え、開口部４の大きさは、底部２の前後方向に略対称である。
また、アッパー部３は、両端が留め部材６によって回転可能に底部２に取付けられる少なくとも２つのベルト部材３Ｃからなり、ベルト部材３Ｃの両端は、底部２の両側面に形成された凹部２Ａ内に取付けられている。また、凹部２Ａが形成されたことにより凹部２Ａが形成されていない底部側面との間に段差部が形成される。
また、底部２の表面には、「いらっしゃいませ」の文字が両端部に表示されている。
更に、底部２の地面と接する面には、滑り止めのためにゴム部材７が取付けられている。
【００１９】
また、ベルト部材３Ｃの両端が、留め部材６によって回転可能に底部２に取付けられているので、ベルト部材３Ｃは前後方向に約１０°傾く。従って、足を開口部４に挿入すると、最初に足の甲がベルト部材３Ｃに当たり、更に足の甲を挿入方向へ進めると、ベルト部材３Ｃが足の甲に押されて挿入方向に傾斜し、足の甲とベルト部材３Ｃとの接触面積は、足の挿入につれて次第に広くなる。
また、凹部２Ａによって形成された段差部にベルト部材３Ｃが当たって回転による傾きを抑止し、ベルト部材３Ｃが傾きすぎない。よって、ベルト部材３Ｃが足の甲にフィットし、履き心地がよい。なお、図５では、凹部２Ａによって形成された段差部の面は地面に対して略垂直になっているが、段差部の面が斜め上を向くように段差部を傾斜させることで、ベルト部材３Ｃと段差部の傾斜面との接触面積が増大し、ベルト部材３Ｃの傾きを前後方向に約１０°という範囲で抑止し易くなる。
【００２０】
以上のように、本発明の履物は、足が挿入される開口部の大きさが、底部の前後方向に略対称であるため、前後両方向から足を開口部内に挿入して履物を履いたり、また、脱いだりすることができ、従って、本発明の履物を使用する時に、わざわざ前後や左右を揃え直すために前かがみになったり腰を落したりする必要がなく、足腰等身体への負担を軽減できる。
また、一般家庭においては、ベランダ、トイレ、脱衣室、キッチン部屋等頻繁にスリッパを履脱する場所において本発明の履物は便利である。即ち、段差のあるベランダ、狭い空間のトイレ、脱衣室等に出入する時に、お尻から出たり、体を横向きにして履いたり、足や手で履物の向きを変えたりという動作が必要ない。
また、子供からお年寄りまで幅広く本発明の履物を利用でき、特に、身体に障害を持つ人、腰痛や神経痛を持つ人、手足が不自由な人にとっては、足腰等身体への負担を軽減できるので快適に利用できる。
【００２１】
また、アッパー部は、両端が回転可能に底部に取付けられる少なくとも２つのベルト部材からなり、ベルト部材の両端は、底部の両側面に形成された凹部内に取付けられているので、足を開口部に挿入すると、足の甲がベルト部材に当たり、ベルト部材が足の甲に押されて挿入方向に傾斜し、足の甲とベルト部材３Ｃとの接触面積は、足の挿入につれて次第に広くなると共に、凹部によって形成された段差部にベルト部材が当たって回転による傾きを抑止し、ベルト部材が傾きすぎない。よって、ベルト部材が足の甲にフィットし、履き心地がよい。
【００２２】
また、アッパー部の下縁や全縁に沿って復元可能なゴム引布が取付けられているので、足を開口部に挿入するとゴム引布が伸び、アッパー部が足の甲を包んで安定感に優れる。また、足首まわりにもゴム引布はフィットする。
【００２３】
また、底部の両端部に取付けられるつま先部は、復元可能な伸縮部材で構成されているので、一方のつま先部を踵で踏んでも半永久的に反発して復元し、つま先を入れることができる。
【図面の簡単な説明】
【００２４】
【図１】本発明を適用した履物の第１の実施態様を説明する概略図である。
【図２】本発明を適用した履物の第２の実施態様を説明する概略図である。
【図３】本発明を適用した履物の第３の実施態様を説明する概略図である。
【図４】本発明を適用した履物の第４の実施態様を説明する概略図である。
【図５】本発明を適用した履物の第５の実施態様を説明する概略図である。
【図６】従来の履物を説明する概略図である。
【符号の説明】
【００２５】
１    履物
２    底部
２Ａ  凹部
３    アッパー部
３Ａ  つま先部
３Ｂ  甲部
３Ｃ  ベルト部材
４    開口部
５    ゴム引布
６    留め部材
７    ゴム部材
【図１】
2009273574.tif 000003
【図２】
2009273574.tif 000004
【図３】
2009273574.tif 000005
【図４】
2009273574.tif 000006
【図５】
2009273574.tif 000007
【図６】
2009273574.tif 000008